(57)【特許請求の範囲】
【請求項１】
交換機と、
ＤＳＬ回線加入者端末と、
前記ＤＳＬ回線加入者端末が接続するＩＡＤと、
前記交換機と前記ＩＡＤとの間に介設されているＤＳＬ回線とを含み、
前記交換機は、
前記ＤＳＬ回線の上で多重化されているＡＴＭセルを終端するＶＭＧを備え、
前記ＶＭＧは、
前記ＡＴＭセルを直接に終端するＤＳＬ・ＩＦ終端部と、
前記ＤＳＬ・ＩＦ終端部で終端された前記ＡＴＭセルから音声信号セルと呼制御信号セルに振り分けるＡＡＬ処理部と、
前記音声信号セルのＡＤＰＣＭを変換するＤＳＰと、
前記ＤＳＰにより変換された音声信号セルと前記呼制御信号セルから得られる呼処理制御用の交換機制御用データを多重化するＭＵＸ／ＤＭＵＸとを含む
ＤＳＬ回線端末の交換機接続システム。
【請求項２】
前記ＶＭＧは、
前記ＡＡＬ処理部で分けられた前記呼制御信号セルから前記交換機制御用データを翻訳するＣＰＵと、
前記交換機制御用データを交換機の加入者制御用インターフェース用のフォーマットに変換して、ＭＵＸ／ＤＭＵＸに転送するＳＧ・ＣＴＬとを更に含む
請求項１のＤＳＬ回線端末の交換機接続システム。
【請求項３】
前記ＭＵＸ／ＤＭＵＸは、更に、多重化した前記音声セルと前記交換機制御用データを、交換機の加入者制御部に転送する
請求項１又は２のＤＳＬ回線端末の交換機接続システム。
【請求項４】
前記ＤＳＰは、３２ＫＡＤＰＣＭから６４ＫＡＤＰＣＭに変換する
請求項１乃至３いずれか１項に記載のＤＳＬ回線端末の交換機接続システム。
【請求項５】
前記ＤＳＬ回線に終端し前記ＤＳＬ回線の音声をＡＴＭセルに変換するＤＳＬＡＭを更に含み、
前記ＤＳＬＡＭはＡＴＭ網を介して前記ＡＡＬに接続している
請求項１乃至４いずれか１項に記載のＤＳＬ回線端末の交換機接続システム。
【発明の詳細な説明】
【０００１】
【発明の属する技術分野】
本発明は、ＤＳＬ回線端末の交換機接続システム、及び、その交換機接続方法に関し、特に、ＤＳＬ回線上で音声データをパケット化して転送するＶｏＤＳＬ技術を使用したＤＳＬ回線端末の交換機接続システム、及び、その交換機接続方法に関する。
【０００２】
【従来の技術】
加入者アクセス装置を用いてＡＴＭセルを作成して通信する通信技術が、特開平１１−３３１１９１号で知られている。ＶｏＤＳＬ（Voice over DSL）技術が、音声通話サービスに用いられ得る。ＶｏＤＳＬによる音声通話サービスでは、ＶｏＤＳＬ技術を用いる加入者を交換機１０１に収容する場合、図４に示されるように、ＡＴＭセル化されｘＤＳＬ回線１０２で送信される音声データをＶｏＤＳＬ ＧＷ（gateway）１０３が終端し、Ｖ５又はＧＲ−３０３インタフェース１０４のようなアクセスネットワークを使用して、加入者を収容している。ＶｏＤＳＬ技術を使用した音声通話サービスを既存の交換機１０１に適用するためには、そのようなアクセスネットワーク１０４を交換機１０１に引き込むための変換装置を用意する必要がある。線路の引き込みとそのような変換装置の設置のためには、最終的にはそのコスト負担を最終ユーザーに負わせることになる。
【０００３】
このようなコスト負担増を招かないことが望まれる。
【０００４】
【発明が解決しようとする課題】
本発明の課題は、ユーザーにコスト負担増を招かないＤＳＬ回線端末の交換機接続システム、及び、その交換機接続方法を提供することにある。
【０００５】
【課題を解決するための手段】
その課題を解決するための手段が、下記のように表現される。その表現中に現れる技術的事項には、括弧（）つきで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００６】
本発明によるＤＳＬ回線端末の交換機接続システムは、交換機（３）と、ＤＳＬ回線加入者端末（２−ｎ）と、ＤＳＬ回線加入者端末（２−ｎ）が接続するＩＡＤ（１）と、交換機（３）とＩＡＤ（１）との間に介設されているＤＳＬ回線（５）とから構成されている。交換機（３）は、ＤＳＬ回線（５）の上で多重化されているＡＴＭセルを終端するＶＭＧ（４）を備えている。
【０００７】
ＤＳＬ回線（５）上で多重化されて送信されて来る音声パケットを交換機（３）で終端して、交換機（３）で音声パケットを既存の交換機インタフェースに変換することになり、ＤＳＬ回線加入者を交換機（３）に直接に収容することができ、交換機（３）を動作させる交換機ソフトは、加入者制御部支配下の装置を意識せずに呼処理制御することができる。
【０００８】
このように、ＶｏＤＳＬ技術を用いたｘＤＳＬ回線上の音声データを直接に既存の交換機インタフェースに変換しているので、交換機から見れば既存の音声通話サービスの加入者と同等に見え、その加入者を既存の交換機に収容することができる。このため、ＶＭＧを既存の加入者収容装置のように交換機に設置するだけで、加入者を交換機に増設することができるので、加入者収容ための設備投資を低減することができる。遠隔地に設置されているリモート局に対しても既存の加入者収容装置をＶＭＧに変換することにより、遠隔地にあるリモート局に対して加入者を増設することができる。
【０００９】
ＶＧＭ（４）は、ＡＴＭセルを直接に終端するＤＳＬ・ＩＦ終端部（７）を装備することができ、ＤＳＬ・ＩＦ終端部（７）によりＡＴＭセルを交換機で終端することができる。ＶＭＧ（４）には、ＤＳＬ・ＩＦ終端部（７）で終端されたＡＴＭセルから音声信号セル（１１）と呼制御信号セル（１２）に振り分けるＡＡＬ処理部（９）と、音声信号セル（１１）のＡＤＰＣＭを変換するＤＳＰ（１３）と、ＤＳＰ（１３）により変換された音声信号セル（１１）と呼制御信号セル（１７）を多重化するＭＵＸ／ＤＭＵＸ（１４）とが追加されている。このように追加されるＤＳＰにより、音声データは、例えば、３２ＫＡＤＰＣＭから６４ＫＡＤＰＣＭに変換され得る。ＤＳＬ回線（５）に終端しＤＳＬ回線（５）の音声をＡＴＭセルに変換するＤＳＬＡＭ（２１）の使用は有効である。ＤＳＬＡＭ（２１）はＡＴＭ網（２２）を介してＡＡＬ（９）に直接に接続し、この場合、ＤＳＬ・ＩＦ終端部（７）は省略される。
【００１０】
本発明によるＤＳＬ回線端末の交換機接続方法は、ＤＳＬ回線（５）上で多重化されて送信されて来る音声パケットを交換機（３）で終端すること、交換機（３）で音声パケットを既存の交換機インタフェース（８）に変換することとから構成され、加入者を交換機に直収することができる。
【００１１】
【発明の実施の形態】
図に対応して、本発明によるＤＳＬ回線端末の交換機接続システムの実施の形態は、交換機とともにＩＡＤ（統合アクセス装置）が設けられている。そのＩＡＤ１は、図１に示されるように、加入者端末２−１〜ｎに接続して加入者端末２−１〜ｎ（図で、ｎ＝１，２）を収容している。その交換機３には、ＶＭＧ（Voice Media Gateway）４が構成されている。ＩＡＤ１は、ＶＭＧ４にｘＤＬＳ回線５を通じて接続している。
【００１２】
ＶＭＧ４は、ＩＡＤ１に収容されている複数の電話加入者のそれぞれの音声データを転送するｘＤＬＳ回線５を終端している。このように転送される音声データは、ＡＴＭセルに変換されてｘＤＬＳ回線５を介してＩＡＤ１のＶＭＧ４に転送される。
【００１３】
図２は、ＶＭＧ４の内部構成を詳細に示している。ＶＭＧ４は、ｘＤＳＬ・ＩＦ終端部７を形成している。ＶＭＧ４は、ｘＤＳＬ・ＩＦ終端部７によりｘＤＬＳ回線５を終端し、ｘＤＬＳ回線５の上で転送されてくるＡＴＭセルの中から音声データを抽出して、ＶＭＧ４に付随する加入者制御装置インタフェース８で多重化する。多重化された音声データは、加入者制御部（ＬＯＣ）６に転送される。
【００１４】
ｘＤＳＬ・ＩＦ終端部７で受信され抽出されるＡＴＭ成分は、ＡＡＬ処理部９に転送される。そのＡＴＭ成分は、ＡＡＬ処理部９でＳＡＲ処理が行われて、音声信号セル１１と呼制御信号１２とに振り分けらる。音声信号セル１１は、音声データがｘＤＬＳ回線５の上でその収容効率を高めるために、３２ＫＡＤＰＣＭ方式のような圧縮技術により圧縮されていることがある。
【００１５】
このような圧縮を受けている音声信号セル１１は、ＡＡＬ処理部９で振り分けられた後にＤＳＰ１３に転送される。音声信号セル１１は、ＤＳＰ１３で３２ＫＡＤＰＣＭから６４ＫＰＣＭに変換されて、ＭＵＸ／ＤＭＵＸ１４に転送される。
【００１６】
ＡＡＬ処理部９で振り分けらる他方の呼制御信号１２は、ＡＡＬ処理部９から出力されてＣＰＵ１５で読み出される。ＡＡＬ処理部９は、ＣＰＵバス１６を介してＣＰＵ１５に接続している。ＣＰＵ１５は、呼制御信号１２の呼制御情報を解析して交換機制御用データ１７に翻訳する。交換機制御用データ１７は、ＣＰＵバス１６を介して、ＳＧ・ＣＴＬ１８に書き込まれる。
【００１７】
ＳＧ・ＣＴＬ１８は、交換機制御用データ１７を交換機３の加入者制御用インタフェース用フォーマットに変換してそれをＭＵＸ／ＤＭＵＸ１４に転送する。ＭＵＸ／ＤＭＵＸ１４は、そのように多重化された音声信号セル１１と呼制御信号１２とを加入者制御装置インタフェース８を介して加入者制御部６に転送する。既述の転送に対応する逆転送と既述の多重に対応する逆多重により、加入者制御部６の音声データはＩＡＤ１に逆転送される。
【００１８】
図３は、本発明によるＤＳＬ回線端末の交換機接続システムの実施の更に他の形態を示している。実施の本形態は、ＡＴＭ網を利用している。そのＡＴＭ網２２は、ＩＡＤ１と交換機３のＶＭＧ４’の間で回線接続されている。ＡＴＭ網２２とＩＡＤ１の間で、ＤＳＬＡＭ（Digital Subscriber Line Access Multiplexer）２１がｘＤＳＬ５に介設されている。ｘＤＬＳ回線５は、ＤＳＬＡＭ２１で終端されてＡＴＭインタフェース２３に変換される。実施の本形態の交換機３のＶＭＧ４’では、図２のｘＤＳＬ・ＩＦ終端部７が省略されている。ＡＴＭインタフェース２３は、ｘＤＳＬ・ＩＦ終端部７が省略されている図２のＶＭＧ４のＡＡＬ処理部９で終端されることになる。
【００１９】
【発明の効果】
本発明によるＤＳＬ回線端末の交換機接続システム、及び、その交換機接続方法は、直収によりユーザー負担を低減することができる。
【図面の簡単な説明】
【図１】図１は、本発明によるＤＳＬ回線端末の交換機接続システムの実施の形態を示すシステムブロックである。
【図２】図２は、図１の一部の詳細を示す回路ブロックである。
【図３】図３は、本発明によるＤＳＬ回線端末の交換機接続システムの実施の他の形態を示すシステムブロック図である。
【図４】図４は、公知のＶｏＤＳＬ通信システムを示すシステムブロック図である。
【符号の説明】
１…ＩＡＤ
２−ｎ…ＤＳＬ回線加入者端末
３…交換機
４…ＶＭＧ
５…ＤＳＬ回線
７…ＤＳＬ・ＩＦ終端部
８…交換機インタフェース
９…ＡＡＬ処理部
１１…音声信号セル
１２…呼制御信号セル
１３…ＤＳＰ
１４…ＭＵＸ／ＤＭＵＸ
２１…ＤＳＬＡＭ
２２…ＡＴＭ網
【図１】
0003751837.tif 000002
【図２】
0003751837.tif 000003
【図３】
0003751837.tif 000004
【図４】
0003751837.tif 000005